(57)【要約】【課題】外径の異なる複数の保持対象物を整理して収納することができる面状ホルダを提供する。【解決手段】面状ホルダにおいて、相互に略平行状態で穿設される３本以上のスリットを備えた保持面体と、保持面体の表面部に、略平行状態で穿設される各スリットと交差する状態で延設され、長さ方向において伸縮性を備えるとともに、各端部を保持面体に止着・支持させることとした帯状体と、帯状体の長さ方向における任意の部分位置を保持面体の表面部から裏面部へ挿通し、挿通された帯状体の任意の部分位置を各スリット部分に位置決め・支持可能とするクリップと、を備え、帯状体の長さ方向における任意の部分位置のそれぞれを表面部から裏面部へ挿通し、各帯状体を該スリット部分でクリップにより位置決め・支持し、保持面体において端部が各スリットに位置決めされ、帯状体により伸縮可能とされる保持対象物の保持部を隣接状態で複数形成する。【選択図】  図４
0003143415.tif 000002
【実用新案登録請求の範囲】
【請求項１】
全体平板状からなり、その一面側の表面部において複数の保持対象物を相互に隣接状態で収容・保持されることを可能とする面状ホルダにおいて、
保持対象物を保持するための表面部とその他面側をなす裏面部間を切開することで、相互に略平行状態で穿設される少なくとも３本以上のスリットを備えた全体平板状の保持面体と、
前記保持面体の表面部において、略平行状態で穿設される各スリットと交差する状態で延設され、長さ方向において伸縮性を備えるとともに、長さ方向と交差する方向での幅が各スリットの切開長さより短く設定されてなり、各端部を保持面体に止着・支持させることとしてなる帯状体と、
前記帯状体の長さ方向における任意の部分位置を保持面体の表面部から裏面部へ挿通するとともに、裏面部に挿通された帯状体の任意の部分位置を各スリット部分に位置決め・支持可能とするクリップと、を備え、
帯状体の長さ方向における任意の部分位置のそれぞれを各スリットの表面部から裏面部へ挿通し、裏面部に挿通された各帯状体を該スリット部分でクリップにより位置決め・支持し、保持面体の表面部において端部が各スリットに位置決めされ、帯状体により伸縮可能とされる保持対象物の保持部を隣接状態で複数形成することを可能とした面状ホルダ。
【請求項２】
帯状体の各端部のうち、少なくとも一方の端部を保持面体に対して止着自在に支持させることとしてなる請求項１に記載の面状ホルダ。
【請求項３】
保持面体に穿設されるスリットの数を４本以上とし、任意のスリットを選択して選択したスリットの表面部から裏面部へ帯状体の長さ方向における任意の部分位置を挿通し、位置決め・支持することにより、保持対象物の保持部を隣接状態で複数形成することとしてなる請求項１ないし２に記載の面状ホルダ。
【請求項４】
保持面体に対して帯状体の各端部を取付け・取外し自在に止着・支持させることとしてなる請求項１ないし３のいずれかに記載の面状ホルダ。
【請求項５】
保持面体はバッグ、袋物等のカバン類の内部に収容されるものとされ、該カバン類の内部に支持された状態で配設されるものである請求項１ないし４に記載の面状ホルダ。
【考案の詳細な説明】
【技術分野】
【０００１】
本考案は、複数の保持対象物を相互に隣接状態で収容・保持することを可能とする面状ホルダに関し、外径の異なる複数の保持対象物を保持することを可能とする面状ホルダに関する。
【背景技術】
【０００２】
バッグや袋物などのカバン類に装入し、種々の持ち物を整理して収納・保持するためのものとして、平板状の一面側の表面部において複数の保持対象物を相互に隣接状態で収容・保持することを可能とする面状ホルダが利用されている。例えば、実用新案登録第３０９４９７１号に開示される面状ホルダは、平板状の収納ケースにポケットを複数設け、該ポケットに個々の持ち物を収納・保持することにより、種々の持ち物が整然と整理された状態で収納・保持されることを可能としている。
【特許文献１】実用新案登録第３０９４９７１号
【０００３】
しかしながら、この面状ホルダにおいては、各ポケットがあらかじめ収納ケースに縫合されて形成されてなり、ポケットに保持される保持対象物の大きさに応じてポケットの大きさを設定することができないため、ポケットの大きさよりも大きな保持対象物を保持する必要が生じたときに、これを保持させることができず、使い勝手の悪い面を有していた。
【０００４】
この点を改善する面状ホルダとして、特開２００４−１３６０３８号に開示される面状ホルダが存在する。この面状ホルダは、仕切りピンを引っ掛けるための引っ掛け穴が左右に複数設けられた基板に対して、保持対象物を保持する網袋を上方が開口した状態で取付けておき、この状態で上方から網袋を左右に仕切るための仕切りピンを差入れ、その仕切りピンの上部に設けられたフックを引っ掛け穴に係合させることで保持対象物の保持部を形成するようにしている。
したがって、この面状ホルダによれば、対応する仕切りピンの上部に形成されたフックを、保持対象物の大きさに応じた適切な位置に配設された引っ掛け穴に係合させることで、保持対象物の任意の大きさに適した保持部を形成することができる。
【特許文献２】特開２００４−１３６０３８号
【０００５】
しかしながら、この面状ホルダにおいては、保持部による保持対象物の保持は仕切りピン−仕切りピン間の位置決めのみに依存し、ホルダにおける決められた位置に存在する引っ掛け穴に仕切りピンを係合して決められた幅の保持部しか形成することができないために、保持対象物の大きさに対応した適切な保持対象物ができないという不都合があった。
【考案の開示】
【考案が解決しようとする課題】
【０００６】
本考案は、上述の不都合を解消するものであり、外径の異なる複数の保持対象物を整理して収納することができ、かつ、これら保持対象物を保持部に確実に保持することができる面状ホルダを提供することを目的とする。
【課題を解決するための手段】
【０００７】
そのため、請求項１に記載の考案は、全体平板状からなり、その一面側の表面部において複数の保持対象物を相互に隣接状態で収容・保持されることを可能とする面状ホルダにおいて、保持対象物を保持するための表面部とその他面側をなす裏面部間を切開することで、相互に略平行状態で穿設される少なくとも３本以上のスリットを備えた全体平板状の保持面体と、前記保持面体の表面部において、略平行状態で穿設される各スリットと交差する状態で延設され、長さ方向において伸縮性を備えるとともに、長さ方向と交差する方向での幅が各スリットの切開長さより短く設定されてなり、各端部を保持面体に止着・支持させることとしてなる帯状体と、前記帯状体の長さ方向における任意の部分位置を保持面体の表面部から裏面部へ挿通するとともに、裏面部に挿通された帯状体の任意の部分位置を各スリット部分に位置決め・支持可能とするクリップと、を備え、帯状体の長さ方向における任意の部分位置のそれぞれを各スリットの表面部から裏面部へ挿通し、裏面部に挿通された各帯状体を該スリット部分でクリップにより位置決め・支持し、保持面体の表面部において端部が各スリットに位置決めされ、帯状体により伸縮可能とされる保持対象物の保持部を隣接状態で複数形成することを可能としたことを特徴とする面状ホルダとしている。
本考案によれば、保持面体表面部の各保持部が、それぞれの端部を対応するスリットにより位置決め・支持された帯状体により伸縮可能に形成されるため、保持対象物の外径等を考慮して各保持部における帯状体の長さが調整され、保持対象物が圧入状態で確実に弾性保持させることが可能となる。
なお、保持面体に形成される保持部の数は、スリットの本数をｎとしてｎ−１まで形成することができる。
【０００８】
請求項２に記載の考案は、帯状体の各端部のうち、少なくとも一方の端部を保持面体に対して止着自在に支持させることを特徴とする面状ホルダとしている。
本考案によれば、少なくとも帯状体の一端が保持面体に止着自在に支持されてなるため、該一端を保持面体から取り外した状態で引っ張るか緩めるかして帯状体の張力を調整することができる。したがって、一旦帯状体の張力を緩めた各保持部に持対象物が保持された状態で帯状体を引っ張り、小物を締付けるように調整すれば、各保持部が保持対象物を保持する状態での大きさをまとめて調整することができる。
【０００９】
請求項３に記載の考案は、保持面体に穿設されるスリットの数を４本以上とし、任意のスリットを選択して選択したスリットの表面部から裏面部へ帯状体の長さ方向における任意の部分位置を挿通し、位置決め・支持することにより、保持対象物の保持部を隣接状態で複数形成することを特徴とする面状ホルダとしている。
本考案の面状ホルダにおいては、保持面体に穿設されるスリットの数を４本以上とし、少なくとも任意の１本のスリットを使用せずに保持面体の表面部において少なくとも２つの保持部を隣接する状態で形成することを可能としたものである。すなわち保持対象物の外径によっては、隣接する状態で穿設し形成されるスリット間の幅では対応できない場合があり、１つ間をおいて次に穿設したスリットに帯状体の任意の部分位置を表面側から裏面側へと挿通し、位置決めさせることを可能とするものである。
【００１０】
請求項４に記載の考案は、保持面体に対して帯状体の各端部を取付け・取外し自在に止着・支持させることを特徴とする面状ホルダとしている。
本考案によれば、帯状体は保持面体から取付け・取外し自在とされることから、経年変化や大きな負荷をかけることなどによって、帯状体の弾性復元力が弱くなった場合にはこれを取外し、新しく交換された帯状体を取付けて用いることができる。
【００１１】
請求項５に記載の考案は、保持面体はバッグ、袋物等のカバン類の内部に収容されるものとされ、該カバン類の内部に支持された状態で配設されるものであることを特徴とする面状ホルダとしている。
本考案よれば、保持面体は、カバン類の内部に収容された状態でカバン類の内部に固着されるため、カバン類を持ち運ぶ際に外部から振動が加わっても、面状ホルダがカバン類の内部で安定的に収容され、保持面体の保持部に保持される保持対象物が容易に脱落しないものとされる。
【考案の効果】
【００１２】
本考案の面状ホルダによれば、外径の異なる複数の保持対象物を整理して収納することができ、かつ、これら保持対象物を保持部に確実に保持することができる。
【考案を実施するための最良の形態】
【００１３】
本考案は、全体平板状の保持面体と、該保持面体に対して保持対象物を保持するための表面部とその他面側をなす裏面部間を切開することで相互に略平行状態で穿設される少なくとも３本以上のスリットと、保持面体の表面部において、略平行状態で穿設される各スリットと交差する状態で延設され、長さ方向に伸縮し、各端部を保持面体に止着・支持させることとしてなる帯状体と、帯状体の長さ方向における任意の部分位置を保持面体の表面部から裏面部へ挿通するとともに、裏面部に挿通された帯状体の任意の部分位置を各スリット部分に位置決め・支持可能とするクリップとを備える。
【００１４】
（保持面体およびスリット）
保持面体２は図１に示すように全体矩形状の平板状部材からなる。その幅方向には保持面体２の表面側から裏面側間を高さ方向に向けて切開することで形成されるスリット３ａ〜３ｇが穿設される。各スリット３ａ〜３ｇは略平行状態で穿設されるものであれば、保持面体２の任意の高さ位置に略平行状態で穿設されてよい。また切開される保持面体２の高さ方向における長さは該スリット３ａ〜３ｇに対して任意の部分位置を挿通される後述の帯状体４の幅に応じて決定すればよく、図示されたものに限られない。保持面体２は、これら各スリット３ａ〜３ｇを穿設可能な平板状部を備えたものであればよく、例えば上方側にスリットが穿設された下方側が、装入されるカバン類の底部の形状に対応して略Ｌ字状に屈曲されるように形成されてもよい。
【００１５】
（帯状体）
帯状体４は全体長尺状からなり、少なくともその長さ方向に伸縮可能とされる。この帯状体４の材質は、長さ方向における伸縮性があれば特に制限されることはないが、例えば安価な素材として弾性を有するゴムバンド、伸縮性の布材などが好適とされる。該帯状体４は、図２に示される保持面体２の表面部側において、略平行状態で穿設されるスリット３ａ〜３ｇの切開方向と交差する状態で延設され、長さ方向に伸縮し、各端部４ａ、４ｇを保持面体２に止着・支持させることとしている。この帯状体４は、同図に示すようにスリット３ｂ〜３ｆに対応する任意の部分位置において、保持面体２の表面側から裏面側に向けて撓ませて形成する湾曲部４ｂ〜４ｆを形成し、該湾曲部４ｂ〜４ｆをスリット３ｂ〜３ｆに対して挿通することで、保持面体２に対して掛着されるものである。そのため帯状体４は、スリット３ａ〜３ｇに対して挿通可能となるように、その幅がスリット３ａ〜３ｇの切開長さよりも短く設定される。
【００１６】
（クリップ）
クリップ５ａ〜５ｅは、図２および保持面体２の裏面部側を示す図３に示されるように、帯状体４の長さ方向における任意の部分位置において形成され、保持面体２の表面部から裏面部へ挿通される湾曲部４ｂ〜４ｆに対して、保持面体２の裏面部に挿通された状態における該湾曲部４ｂ〜４ｆと係着し、この状態の湾曲部４ｂ〜４ｆがスリット３ｂ〜３ｆを通じて表面部側へ抜け出ないようにすることで、帯状体４の任意の部分位置をスリット３ｂ〜３ｆと対応する箇所に位置決め・支持可能とする。すなわち図３に示される保持面体２の裏面部において、スリット３ｂ〜３ｆから挿通された状態の帯状体４の湾曲部４ｂ〜４ｆに対して、上方からクリップ５ａ〜５ｅを差し込み、帯状体４の任意の部分位置を挟持することで、湾曲部４ｂ〜４ｆと係着させるようにする。
【００１７】
各クリップ５ａ〜５ｅは、対応する帯状体４の湾曲部４ｂ〜４ｆに対し、上方より差し込まれるＵ字状部５Ｕを中心に備え、該Ｕ字状部５Ｕを中心に備え、該Ｕ字状部５Ｕの外側においては、Ｕ字状部５Ｕと連続し、それぞれ差し込まれたＵ字状部５Ｕとの間で帯状体４を挟持可能とする挟持片５Ｐを備えている。この結果、対応するスリット３ｂ〜３ｆから保持面体２の裏面側に対応する湾曲部４ｂ〜４ｆは、帯状体４の任意の長さ位置において、対応するクリップ５ａ〜５ｅが差し込まれたＵ字状部５Ｕと挟持片５Ｐ間の挟持により、位置決め・支持されることとなる。
【００１８】
こうして各スリット３ｂ〜３ｆを挿通された湾曲部４ｂ〜４ｆにクリップ５ａ〜５ｅが係着されることとなり、保持面体２の表面側において各湾曲部４ｂ〜４ｆ間の長さを調整された帯状体４を配設させることができる。なお、このクリップ５ａ〜５ｅは、帯状体４の任意の部分位置をスリット３ｂ〜３ｆと対応する箇所に位置決め・支持可能とするものであれば、特にその形状を制限されるものではない。他の例について、後述の実施例２とともに説明するが、その他の公知のクリップを採用することができる。
【００１９】
（帯状体の端部）
帯状体４の端部４ａ、４ｇは、図２、図３に示すように、保持面体２の端部側に穿設されるスリット３ａ、３ｇに対して保持面体２の表面部から裏面部に挿通される。帯状体４の一端部を形成する端部４ａ近傍には、面ファスナにより保持面体２の裏面部に配設された被係合部６と係合する係合部７が配設され、端部４ａを保持面体２のスリット３ａを通じて表面部側から裏面部側へと挿通し（図２参照）、保持面体２の裏面部側で被係合部６と係合して取付け・取外し自在に止着されるものとされる（図３参照）。もっとも、帯状体４の一端部側で保持面体２の裏面部側と係合する手段としては、本実施形態の例に限定されず、面ファスナ以外の公知の係合手段をもって係合されてもよい。そのような手段としては、係合凹部と係合凸部における係合手段など様々な手段を採用することができる。
【００２０】
また、帯状体４の他端部を形成する端部４ｇの近傍には、面ファスナにより帯状体４の中央部側に向けて延設され、帯状体４の長手方向の長さを調整可能とする長さ調整用の被係合部８と係合する長さ調整用の係合部９が配設されている。この長さ調整用の係合部９は、図３に示す曲げ矢印の方向に折り返し、長さ調整用の被係合部８の任意の位置部分と係合するものとされるとともに、保持面体２に対して止着自在に支持される。もっとも帯状体４の他端部側で帯状体４の長手方向の長さを調整する係合手段は、本実施形態の例に限定されず、面ファスナ以外の公知の係合手段をもって係合されてもよい。そのような手段としては、帯状体４の中央部側に向けて複数穿設された係合凹部と、端部４ｇ近傍に配設された係合凸部とによる係合手段など様々な手段を採用することができる。このように本実施形態における帯状体４では、その長手方向における長さを調整することが可能である。
【００２１】
なお、帯状体４の一端部側で保持面体２と取付け・取外し可能とされる構成のほか、縫合などの固着手段により帯状体４の一端部と保持面体２とが固着される構成とされてもよい。ただし、保持面体２に対して支持される他端部側（端部４ｇ側）は保持面体２に対して止着自在とされることから、一端部側（端部４ａ側）について保持面体２と取付け・取外し可能な係合手段をもって構成すれば、帯状体４の全体を保持面体２取付け・取外し自在に止着・支持させることができ、実施形態として最も好ましい。すなわち、本実施形態は、帯状体４の全体を保持面体２に対して取付け・取外し自在とされることから、経年変化や大きな負荷をかけることなどによって、帯状体の弾性復元力が弱くなった場合にはこれを取外し、新しく交換された帯状体４を取付けて用いることが可能となる。
【００２２】
（保持部）
このような保持面体２とスリット３ａ〜３ｇ、帯状体４とその端部４ａ、４ｇ、クリップ５ａ〜５ｅの構成に基づき、帯状体４の長さ方向における任意の部分位置のそれぞれをスリット３ｂ〜３ｆの表面部から裏面部へ挿通し、裏面部に挿通された帯状体の任意の位置部分における湾曲部４ｂ〜４ｆを該スリット部分でクリップ５ａ〜５ｅにより位置決め・支持し、保持面体２の表面部において端部がスリット３ｂ〜３ｆに位置決めされ、図４に示すように帯状体４により伸縮可能とされる保持対象物１０ａ〜１０ｆの保持部１１ａ〜１１ｆが隣接状態で複数形成されることとなる。
【００２３】
本実施形態の例において、保持部１１ａ〜１１ｆは６箇所に形成されているが、その数には限定されない。保持部を隣接状態で複数（２つ以上）形成するためには、スリットの数が少なくとも３つ以上あればよい。すなわち、保持部の数は、スリットの数をｎ（ｎ≦３）としてｎ−１の関係にあり、この関係を満たす全ての例を本考案の思想は含んでなる。
【００２４】
このように構成される面状ホルダ１は、帯状体４が保持面体２に対してクリップ５ａ〜５ｅにより任意の部分位置をスリット３ｂ〜３ｆの部分で位置決め・支持可能とされるため、帯状体４を支持される各スリット３ｂ〜３ｆ間において長さ調整することが可能となる。さらに帯状体４は、自身の伸縮性に基づき保持部１１ａ〜１１ｆに対して外径の異なる複数の保持対象物１０ａ〜１０ｆを圧入状態で弾性保持させることができる（図４、図５参照）。すなわち、保持部１１ａ〜１１ｆは、帯状体４のスリット３ｂ〜３ｆの部分におけるクリップ５ａ〜５ｅでの位置決め位置により、それぞれについての内径を調整することができ、保持する保持対象物１０ａ〜１０ｆの外径に対応させることができる。このとき保持部１１ａ〜１１ｆの内径を、保持すべき保持対象物１０ａ〜１０ｆの外径よりも小さく調整しておけば、保持対象物１０ａ〜１０ｆを圧入状態で弾性保持させることができ、確実な保持が可能となる。
【００２５】
また、本実施形態における面状ホルダ１は、保持部１１ａ〜１１ｆを構成する帯状体４の長手方向の長さを調整することで張力を設定することができるので、さらに保持対象物１０ａ〜１０ｆを保持部１１ａ〜１１ｆに対して確実に保持させることができる。
【００２６】
（カバン類への収容）
本考案の面状ホルダ１は、カバン類、例えば、かばん１２に収容することができ、収容された状態でかばん１２に対して着脱自在に係合されるものとされる。すなわち、図５に示すように保持面体２の裏面部には、かばん１２に設けられた係合凹部１３ａ、１３ｂと対応する位置に、該係合凹部１３ａ、１３ｂと係合する係合凸部１４ａ、１４ｂが設けられ、これらを係合することで面状ホルダ１がかばん１２に支持された状態で配設される。したがって、かばん１２を持ち運ぶ際に外部から振動が加わっても、面状ホルダ１がかばん１２の内部で安定的に収容され、保持面体２の保持部１１ａ〜１１ｆに保持される保持対象物１０ａ〜１０ｆが容易に脱落しないものとされる。
【実施例】
【００２７】
（実施例１）
その他の実施例について説明をする。実施例１の構成を図６に示す。本実施例に係る面状ホルダ１０１では、保持面体１０２に穿設され、帯状体１０４の任意の部分位置を挿通するスリット１０３ｂ〜１０３ｆのうち、任意に選択されたスリット１０３ｂ、１０３ｃ、１０３ｅ、１０３ｆに対して、帯状体１０４の任意の部分位置に形成された湾曲部１０４ｂ、１０４ｃ、１０４ｅ、１０４ｆを保持面体１０２の表面部から裏面部へ挿通し、裏面部側でクリップ１０５ａ〜１０５ｄで位置決め・支持することで、保持対象物の保持部１１１ａ〜１１１ｅを隣接状態で形成する。
【００２８】
保持対象物の外径によっては、隣接する状態で穿設し形成されるスリット間の幅では対応できない場合があり、本実施例では、任意の１本のスリット（１０３ｄ）を使用せずに１つ間をおいて次に穿設したスリットに帯状体１０４の任意の部分位置を表面側から裏面側へと挿通し、位置決めさせることを可能とし、保持対象物の外径に対応した保持部（図６中の保持部１１１ｃ）を形成することとしている。
なお、本実施例では、保持部１１１ａ〜１１１ｅは５箇所に形成されているが、その数に限定されない。本実施例において保持部を隣接状態で複数（２つ以上）形成するためには、スリットの数が少なくとも４つ以上あればよい。すなわち、保持部の数は、スリットの数をｎ（ｎ≦４）としてｎ−２の関係にあり、この関係を満たす全ての例を本考案の思想は含んでなる。
【００２９】
（実施例２）
実施例２の構成を図７に示す。本実施例に係る面状ホルダ２０１では、保持面体２０２の裏面部に挿通された湾曲部２０４ｂ〜２０４ｆをスリット２０３ｂ〜２０３ｆに位置決め・支持するためのクリップとして、全体Ｕ字状に曲折形成され、間で帯状体２０４を挟持可能とするクリップ２０５ａ〜２０５ｅを用いる。また、帯状体２０４の一端部２０４ｂに対して帯状体２０４の長手方向の長さを調整する長さ調整用の湾曲部２１６を形成し、これをクリップ２０５ｆによりスリット２０３ｇの部分位置に位置決め・支持させ、帯状体２０４を保持面体２０２に対して止着自在に支持させるようにしている。
【００３０】
本実施例によれば、保持面体２０２の裏面部側において帯状体２０４の任意の部分位置に形成される湾曲部２０４ｂ〜２０４ｆの湾曲部内径を調整した状態で、これをクリップ２０５ａ〜２０５ｅで湾曲部の根本部分を挟持するようにし、スリット２０３ｂ〜２０３ｆの部分に位置決め・支持するようにされる。そのため、保持面体２０２の表面側で形成される保持部２１１ａ〜２１１ｆのそれぞれの内径を、帯状体２０４の任意の部分位置に形成される湾曲部２０４ｂ〜２０４ｆのクリップ２０５ａ〜２０５ｅによる位置決め・支持することが可能となる。また、帯状体２０４の端部２０４ｇを、面ファスナ等の係合手段を用いずに、クリップ２０５ａ〜２０５ｅと同様のクリップ２０５ｆにより、保持面体２０２に止着自在に支持させることができるので、簡易に構成することができる。
【産業上の利用可能性】
【００３１】
本考案は、外径の異なる複数の保持対象物のそれぞれを保持する保持部を形成した面状ホルダからなるため、様々な外径からなる保持対象物を整理して、かつ、確実に保持することについて利用することができる。また本考案は、カバン類に収容して用いることができるため、カバン類において荷を整理して持ち運ぶのに好適に利用することができる。
【図面の簡単な説明】
【００３２】
【図１】実施形態におけるスリットが穿設された保持面体を示す斜視図である。
【図２】同上の保持面体の表面部において帯状体の任意の部分位置がスリットに挿通される様子を示す斜視図である。
【図３】同上の保持面体の裏面部においてスリットに挿通された帯状体がクリップにより位置決め・支持されるとともに、保持面体に止着自在に支持される様子を示す斜視図である。
【図４】同上における面状ホルダに形成された保持部に保持対象物が保持される様子を示す斜視図である。
【図５】同上における保持対象物が保持された面状ホルダがカバン類に収容され、支持された状態で配設される様子を示す斜視図である。
【図６】実施例１の特徴的構成を示す斜視図である。
【図７】実施例２の特徴的構成を示す斜視図である。
【符号の説明】
【００３３】
１、１０１、１０２    面状ホルダ
２、１０１、２０２    保持面体
３ａ〜３ｇ、１０３ａ〜１０３ｇ、２０３ａ〜２０３ｇ    スリット
４、１０４、２０４    帯状体
４ａ、４ｇ    端部
４ｂ〜４ｆ、１０４ｂ、１０４ｃ、１０４ｅ、１０４ｆ、２０４ｂ〜２０４ｆ、２１６    湾曲部
５ａ〜５ｅ、１０５ａ〜１０５ｄ、２０５ａ〜２０５ｅ    クリップ
５Ｕ    Ｕ字状部
５Ｐ    挟持片
６    被係合部
７    係合部
８    長さ調整用の被係合部
９    長さ調整用の係合部
１０ａ〜１０ｆ    保持対象物
１１ａ〜１１ｆ、１１１ａ〜１１１ｅ    保持部
１２    かばん
１３ａ、１３ｂ    係合凹部
１４ａ、１４ｂ    係合凸部
【図１】
0003143415.tif 000003
【図２】
0003143415.tif 000004
【図３】
0003143415.tif 000005
【図４】
0003143415.tif 000006
【図５】
0003143415.tif 000007
【図６】
0003143415.tif 000008
【図７】
0003143415.tif 000009